(57)【特許請求の範囲】
【請求項１】
筐体と、
前記筐体の内外を連通する連通孔と、
前記筐体に収容され、前記連通孔を通じてヘッドセットのプラグが挿入可能な筒部と、前記筒部を覆う箱部とを有し、前記箱部が前記筐体の内面に接触するジャックと、
前記内面における前記箱部を挟む位置に設けられた一対の爪部と、
前記箱部における前記内面と反対側の上面に接触するとともに前記各爪部に係合する取付部材と、
前記筐体に収容される金属板製のシャーシと、
前記取付部材が金属製であるとともに、前記シャーシに接触する接触部とを備え、
前記接触部が前記箱部における前記上面よりも前記筐体の内面側に設けられている携帯端末。
【発明の詳細な説明】
【技術分野】
【０００１】
本発明は、筐体に形成した連通孔で筐体の内外を連通し、連通孔から筐体の内部にジャックを収容し、ジャックに連通孔を通じてヘッドセットのプラグを挿入可能な携帯端末に関する。
【背景技術】
【０００２】
携帯端末のなかには、筐体の内部に回路基板が収容され、回路基板にジャックが半田で実装されることにより筐体の内部に収容され、収容されたジャックの挿入孔が筐体の連通孔に連通可能に配置されたものがある。ジャックの挿入孔にヘッドセット用のプラグが連通孔を通じて挿入される（特許文献１）。
【先行技術文献】
【特許文献】
【０００３】
【特許文献１】特開２０００−１１４７５０号公報（段落0013、段落0014、図２）
【発明の概要】
【発明が解決しようとする課題】
【０００４】
しかし、特許文献１の携帯端末は、ジャックに挿入された状態でプラグを介して外力が加わると、回路基板からジャックが脱落する可能性や、半田に亀裂が発生したり、半田が剥離する可能性がある。
ジャックの脱落や、半田の亀裂、半田の剥離を除く手段として、ジャックを回路基板に実装せず、筐体を構成するケースおよびカバーによりジャックを挟持する構造が考えられる。
しかし、筐体のケースおよびカバーによりジャックを挟持するためには、ジャックの配置箇所に制約があり、この観点から改良の余地が残されている。
【０００５】
ジャックの配置箇所の制約を少なくする手段として、筐体に対してジャックをビスで固定する構造が考えられる。
しかし、筐体にジャックをビスで固定するためには、筐体にビスで固定する箇所が必要となり、筐体の小型化や、組立工程を簡略化する上での障害となる。
【０００６】
本発明は、前述した課題を解決するためになされたものであり、その目的は、小型化できるとともに組立工程を簡略化できる携帯端末を提供することにある。
【課題を解決するための手段】
【０００７】
本発明の携帯端末は、筐体と、前記筐体の内外を連通する連通孔と、前記筐体に収容され、前記連通孔を通じてヘッドセットのプラグが挿入可能な筒部と、前記筒部を覆う箱部とを有し、前記箱部が前記筐体の内面に接触するジャックと、前記内面における前記箱部を挟む位置に設けられた一対の爪部と、前記箱部における前記内面と反対側の上面に接触するとともに前記各爪部に係合する取付部材と、を備える。
【０００８】
ジャックの箱部を一対の爪部で挟み、箱部の上面に取付部材を接触させ、この取付部材を各爪部に係合するようにした。
よって、一対の爪部および取付部材でジャックの箱部を固定できる。このように、取付部材を各爪部に係合するだけで筐体にジャックを簡単に組み付けることができる。
【０００９】
また、ジャックの箱部を一対の爪部および取付部材で囲うように固定できる。
このように、一対の爪部および取付部材を用いることにより、筐体の任意の箇所においてジャックの箱部を同じ強度で固定できる。
これにより、ジャックの取付位置を決める際に、筐体の任意の位置に配置可能であり、配置の自由度を高めることができる。
【００１０】
さらに、一対の爪部および取付部材を用いてジャックの箱部を固定可能に構成することで、ジャックを固定するために従来必要とされていたビスを不要にできる。これにより、筐体にビスを固定するための箇所を確保する必要がない。
【００１１】
本発明の携帯端末は、前記筐体に収容される金属板製のシャーシを有し、前記取付部材が金属製であるとともに、前記シャーシに接触する接触部を備える。
【００１２】
金属製の取付部材に接触部を備え、接触部を金属板製のシャーシに接触させた。
これにより、取付部材をシャーシに接地させることができるので、アンテナにノイズを乗せないようにしてアンテナ特性に対するノイズを軽減できる。
【００１３】
本発明の携帯端末は、前記接触部が前記箱部における前記上面よりも前記筐体の内面側に設けられている。
【００１４】
接触部を箱部の上面より筐体の内面側に設けることにより、シャーシを箱部の上面に近づけることができるので、筐体の厚さ寸法を小さく抑えることができる。
【発明の効果】
【００１５】
本発明の携帯端末によれば、ジャックの箱部を一対の爪部で挟み、箱部の上面に接触させた取付部材を各爪部に係合可能に構成することにより、取付部材を各爪部に係合するだけで筐体にジャックを組み付けることができるので組立工程を簡略化できる。
【００１６】
さらに、一対の爪部および取付部材を用いることにより、ジャックを固定するために従来必要とされていたビスを不要にできる。
これにより、筐体にビスを固定するための箇所を確保する必要がないので、筐体、すなわち携帯端末を小型化できる。
【図面の簡単な説明】
【００１７】
【図１】本発明に係る携帯端末を示す斜視図
【図２】図１の携帯端末を示す分解斜視図
【図３】図２の筐体を連通孔で破断した状態を示す斜視図
【図４】図２のジャックを筐体に取り付けた状態を示す側面図
【図５】図４のＩ−Ｉ線断面図
【図６】図１のＩＩ−ＩＩ線断面図
【図７】図２のジャックを筐体に取り付けた状態を筐体の外部側から見た状態を示す側面図
【図８】図２のジャックを筐体に取り付けた状態を筐体の内部側から見た状態を示す側面図
【図９】図２のジャックを示す斜視図
【図１０】図２の筐体およびジャックを破断した状態を示す斜視図
【図１１】図６のジャックにプラグが差し込まれた状態を示す断面図
【発明を実施するための形態】
【００１８】
以下、本発明の実施形態に係る携帯端末について図面を参照して説明する。
【００１９】
図１に示すように、携帯端末１０は、矩形箱状の筐体１１と、筐体１１の一面１１Ａ側に設けられた表示装置１２と、表示装置１２を覆う保護カバー１３とを備えている。
また、携帯端末１０は、表示装置１２の上端側に設けられたスピーカ等の発音部１４と、表示装置１２の下端側に設けられたマイク１５とを備えている。
さらに、携帯端末１０は、図２に示すように、筐体１１の内部２２に収容されたジャック３０と、ジャック３０を保持する取付部材４０と、取付部材４０の上方に設けられたシャーシ５０と、筐体１１に設けられたアンテナ５５（図６参照）とを備えている。
なお、図１では、ジャック３０は、表示装置１２の下端のマイク１５近傍に設けられているが、表示装置１２の上端側に設けてもよい。また、ジャック３０を、携帯端末１０側面に設けてもよい。
【００２０】
筐体１１は、底部１１Ｂおよび壁部１１Ｃで、上部が開口された矩形箱状に形成されている。
この筐体１１は、壁部１１Ｃに設けられた連通孔１７と、底部１１Ｂの内面１１Ｄに設けられた一対の第１壁部１８と、一対の第１壁部１８に設けられた一対の爪部１９（図５も参照）と、連通孔１７の近傍に設けられた一対の第２壁部２１とを備えている。
【００２１】
図３に示すように、連通孔１７は、壁部１１Ｃに形成され、筐体１１の内部２２と筐体１１の外部２３とを連通する孔である。
連通孔１７の内周壁に連通孔段差部１７Ａが形成されている。
図４、図５に示すように、一対の第１壁部１８は、底部１１Ｂの内面１１Ｄにおけるジャック３０の箱部３２を挟む位置１１Ｅに、内面１１Ｄに対して鉛直に設けられている。
【００２２】
図６に示すように、箱部３２を挟む位置１１Ｅには筐体段差面２４が形成されている。
箱部３２を挟む位置１１Ｅの近傍にフレキシブルプリント基板（ＦＰＣ）２５が設けられ、ＦＰＣ２５は回路基板に接続されている。
【００２３】
図５に示すように、一対の第１壁部１８の外面から突出するように一対の爪部１９が設けられている。一対の第１壁部１８で箱部３２のうち内端部３２Ａ近傍が挟まれる。
図２、図４に示すように、一対の第２壁部２１は、連通孔１７の近傍において、底部１１Ｂの内面１１Ｄおよび壁部１１Ｃの内面１１Ｆに亘ってジャック３０の箱部３２を挟む位置１１Ｅに、各内面１１Ｄ，１１Ｆに対して鉛直に設けられている。
一対の第２壁部２１で箱部３２の外端部３２Ｅが挟まれる。
【００２４】
図７、図８に示すように、ジャック３０の筒部３１が筐体１１の内部２２側から連通孔１７に差し込まれることにより、筐体１１の内部２２にジャック３０が収容されている。
図９、図１０に示すように、ジャック３０は、筐体１１の内部２２に収容された筒部３１と、筒部３１を覆う箱部３２と、箱部３２の内端部３２Ａから突出された端子３３と、筒部３１および箱部３２のジャック段差部３４に設けられたＯリング３６とを備えている。
箱部３２の内端部３２Ａは、連通孔１７から離れた側の端部である。
【００２５】
図６に示すように、筒部３１は、外端部３１Ａが連通孔１７に同軸上に収容されることにより、筒部３１の外端開口部３５Ａが筐体１１の外部２３に露出された中空状に形成されている。
連通孔１７および外端開口部３５Ａを通じてヘッドセット６０のプラグ６１（図１参照）を筐体１１の外部２３から筒部３１の内部３５に挿入できる。
【００２６】
筒部３１および箱部３２のジャック段差部３４にＯリング３６が設けられることにより、筒部３１の外周面と連通孔１７の内周面との間の防水性がＯリング３６で確保されている。
また、Ｏリング３６がジャック段差部３４および連通孔段差部１７Ａに当接することにより、ジャック３０がプラグ６１の挿入方向（矢印Ａ方向）手前側に対して位置決めされている。
さらに、筒部３１の内部３５にジャック端子３７が設けられ、ジャック端子３７が端子３３に接続されている。
【００２７】
図１１に示すように、筒部３１の外端開口部３５Ａから内部３５にプラグ６１を差し込むことにより、プラグ６１の各極６１Ａ、６１Ｂ、６１Ｃ、６１Ｄがジャック端子３７（図６参照）と接触して導通される。
よって、プラグ６１の各極６１Ａ、６１Ｂ、６１Ｃ、６１Ｄが、端子３３およびＦＰＣ２５を介して回路基板に接続される。
端子３３はＦＰＣ２５に半田３９（図６参照）で接続されている。
【００２８】
図６、図９に示すように、筒部３１が箱部３２で覆われている。
箱部３２は、上面３２Ｂ、下面３２Ｃおよび一対の第１壁部（一対の壁部）３２Ｄで外形が断面略矩形状に形成され、連通孔１７から離れた側の内端部３２Ａで筒部３１の内部３５が閉塞されている。
箱部３２は、筐体１１の内部２２に収容された状態で、筐体１１の底部１１Ｂ（箱部３２を挟む位置１１Ｅ）に下面３２Ｃが接触されている。
上面３２Ｂは、筐体１１における内面１１Ｄと反対側の面である。
【００２９】
箱部３２の下面３２Ｃに箱部段差面３８が、プラグ６１の挿入方向（矢印Ａ方向）奥側を向くように形成されている。
箱部段差面３８が筐体段差面２４に当接されることにより、ジャック３０がプラグ６１の挿入方向奥側に対して位置決めされている。
【００３０】
ジャック３０が筐体１１の底部１１Ｂに金属製の取付部材４０で保持されている。
図５、図８に示すように、取付部材４０は、箱部３２の上面３２Ｂを押さえる上面押部４１と、上面押部４１の両側部４１Ａから一対の第１壁部１８に向けて折り曲げられた一対の折曲片４２と、上面押部４１の後端部４１Ｂに設けられた段差部４３と、段差部４３に設けられた接触部４４とを備えている。
【００３１】
上面押部４１は、箱部３２の上面３２Ｂに対して平行で、かつ、筐体１１の内面１１Ｄに対して平行に配置されている。
この上面押部４１は、下方に向けて突出された凸部４５を有する。凸部４５は、ジャック３０の軸線方向に沿って直線状に形成されている。
【００３２】
図６に示すように、凸部４５を箱部３２の上面３２Ｂに押圧することにより、凸部４５を上面３２Ｂに線接触させることができる。よって、箱部３２の上面３２Ｂに凸部４５を強く押し付けることができる。
これにより、箱部３２の厚み方向（矢印Ｂ方向）に対して箱部３２を位置決めできる。
【００３３】
図５に示すように、一対の折曲片４２には係止孔４６が設けられている。
一対の折曲片４２のうち一方の折曲片４２が、一対の第１壁部１８のうち一方の第１壁部１８に当接した状態において、一方の係止孔４６が一方の爪部１９に係合されている。
同様に、一対の折曲片４２のうち他方の折曲片４２が、一対の第１壁部１８のうち他方の第１壁部１８に当接した状態において、他方の係止孔４６が他方の爪部１９に係合されている。
【００３４】
このように、ジャック３０の箱部３２（内端部３２Ａ近傍）を一対の第１壁部１８で挟み、かつ、箱部３２（外端部３２Ｅ）を一対の第２壁部２１で挟み、箱部３２の上面３２Ｂに取付部材４０を接触させた。
さらに、ジャック３０の筒部３１を筐体１１の連通孔１７に差し込ませて、筒部３１を連通孔１７で支えるようにした。
【００３５】
よって、ジャック３０を一対の第１壁部１８、一対の第２壁部２１、取付部材４０および連通孔１７で確実に固定できる。
これにより、ジャック３０に挿入された状態でプラグ６１を介して外力が加わった場合でも、回路基板からジャック３０が脱落する可能性や、半田３９（図６参照）に亀裂が発生したり、半田３９が剥離する可能性を除去できる。
【００３６】
図６に示すように、段差部４３は、箱部３２における連通孔１７とは反対側の内端部３２Ａに接触する部位である。
内端部３２Ａが段差部４３に当接されることにより、ジャック３０がプラグ６１の挿入方向（矢印Ａ方向）奥側に対して位置決めされている。
【００３７】
接触部４４は、上面押部４１に対して段差状に設けられことにより、箱部３２における上面３２Ｂよりも筐体１１の底部１１Ｂ側に設けられている。
接触部４４にシャーシ５０が弾性部材４８を介して接触部４４が接触されている。
接触部４４を箱部３２の上面３２Ｂより筐体１１の底部１１Ｂ側に設けることにより、シャーシ５０を箱部３２の上面３２Ｂに近づけることができるので、筐体１１の厚さ寸法Ｔを小さく抑えることができる。
【００３８】
取付部材４０の上方に金属板製のシャーシ５０が設けられている。
図２、図６に示すように、シャーシ５０は、筐体１１に収容可能に略矩形状に形成され、箱部３２の上面３２Ｂに対して平行で、かつ、筐体１１の内面１１Ｄに対して平行に配置されている。
このシャーシ５０は、取付部材４０の上面押部４１を受入れ可能な開口５１が形成され、開口５１および連通孔１７側の端部５０Ａ間の開口５２に樹脂部材５３がインサート成形されている。
【００３９】
シャーシ５０は、シャーシ５０に弾性部材（導電性部材）４８を介して接触部４４が接触されている。
金属製の取付部材４０に接触部４４を備え、接触部４４を金属板製のシャーシ５０に弾性部材（導電性部材）４８を介して接触させた。これにより、取付部材４０をシャーシ５０に接地させることができるので、アンテナ５５にノイズを乗せないようにしてアンテナ特性に対するノイズを軽減できる。
アンテナ５５は筐体１１の底部１１Ｂに設けられている。
【００４０】
以上説明したように、ジャック３０の箱部３２（内端部３２Ａ近傍）を一対の第１壁部１８で挟み、かつ、箱部３２（外端部３２Ｅ）を一対の第２壁部２１で挟み、箱部３２の上面３２Ｂに取付部材４０を接触させた。
さらに、取付部材４０の一方の係止孔４６を一方の爪部１９に係合し、他方の係止孔４６を他方の爪部１９に係合させるようにした。
このように、取付部材４０を各爪部１９に係合するだけで筐体１１にジャック３０を組み付けることができるので組立工程を簡略化できる。
【００４１】
また、ジャック３０の箱部３２を一対の第１壁部１８および取付部材４０で囲うように固定できる。このように、一対の第１壁部１８（一対の爪部１９を含む）および取付部材４０を用いることにより、筐体１１の任意の箇所においてジャック３０の箱部３２を同じ強度で固定できる。
これにより、ジャック３０の取付位置を決める際に、筐体１１の任意の位置に配置可能であり、配置の自由度を高めることができる。
【００４２】
さらに、一対の第１壁部１８（一対の爪部１９を含む）および取付部材４０を用いることにより、ジャック３０を固定するために従来必要とされていたビスを不要にできる。
これにより、筐体１１にビスを固定する箇所を確保する必要がないので、筐体１１、すなわち携帯端末１０を小型化できる。
【００４３】
なお、本発明に係る携帯端末は、前述した実施形態に限定されるものではなく適宜変更、改良等が可能である。
例えば、前記実施形態では、携帯端末１０の筐体１１に本発明を適用させた例について説明したが、これに限らないで、その他の電子機器の筐体に本発明を適用させることも可能である。
【００４４】
また、前記実施形態では、取付部材４０を金属製とした例について説明したが、これに限らないで、取付部材４０を樹脂製とすることも可能である。
【００４５】
さらに、前記実施形態では、ジャック３０の箱部３２を一対の第１壁部１８および一対の第２壁部２１で挟み込む例について説明したが、これに限らないで、箱部３２を一対の第１壁部１８のみで挟み込むように構成することも可能である。
【００４６】
また、前記実施形態で使用した携帯端末、筐体、連通孔、一対の爪部、ジャック、取付部材、シャーシおよびプラグ等の形状や構成は例示したものに限定するものではなく適宜変更が可能である。
【産業上の利用可能性】
【００４７】
本発明は、筐体に連通孔を形成して筐体の内外を連通孔で連通し、連通孔から筐体にジャックを収容し、ジャックに連通孔を通じてヘッドセットのプラグを挿入可能な携帯端末への適用に好適である。
【符号の説明】
【００４８】
１０  携帯端末
１１  筐体
１１Ｄ  筐体の内面
１７  連通孔
１９  一対の爪部
３０  ジャック
３１  筒部
３２  箱部
３２Ｂ  上面
４０  取付部材
４４  接触部
５０  シャーシ
６０  ヘッドセット
６１  プラグ
【図１】
0005523484.tif 000002
【図２】
0005523484.tif 000003
【図３】
0005523484.tif 000004
【図４】
0005523484.tif 000005
【図５】
0005523484.tif 000006
【図６】
0005523484.tif 000007
【図７】
0005523484.tif 000008
【図８】
0005523484.tif 000009
【図９】
0005523484.tif 000010
【図１０】
0005523484.tif 000011
【図１１】
0005523484.tif 000012